(57)【要約】【課題】擬毛の詰め替え・補充や電池交換等を簡単に行えて資源の有効利用を促進できるとともに、振動発生装置のモータ部分に擬毛が付着することによる作動不良等が生じないようにされた粉末状擬毛散布器を提供する。【解決手段】電動モータ４５を有する振動発生装置１５が内蔵されるとともに、前記モータ４５への電力供給源となる乾電池９０が収容される電動本体２０と、前記振動発生装置１５が発生する振動を利用して粉末状擬毛を散布すべく、その一端面部５４に多数の散布用透孔５５が形成されてなる有底筒状の擬毛カートリッジ５０と、を備え、前記電動本体２０と擬毛カートリッジ５０とは別体とされて前記電動本体２０に前記擬毛カートリッジ５０が着脱可能に装着され、該擬毛カートリッジ５０内には、前記粉末状擬毛を収納する擬毛タンク６０が挿脱可能に配置されてなる。【選択図】図２
2009082158.tif 000002
【特許請求の範囲】
【請求項１】
電動モータを有する振動発生装置が内蔵されるとともに、前記モータへの電力供給源となる乾電池が収容される電動本体と、前記振動発生装置が発生する振動を利用して粉末状擬毛を散布すべく、その一端面部に多数の散布用透孔が形成されてなる有底筒状の擬毛カートリッジと、を備えた粉末状擬毛散布器であって、
前記電動本体と擬毛カートリッジとは別体とされて前記電動本体に前記擬毛カートリッジが着脱可能に装着され、該擬毛カートリッジ内には、前記粉末状擬毛を収納する擬毛タンクが挿脱可能に配置されていることを特徴とする粉末状擬毛散布器。
【請求項２】
前記擬毛タンクに、前記擬毛を前記散布用透孔側に導出するための導出口が形成されていることを特徴とする請求項１に記載の粉末状擬毛散布器。
【請求項３】
前記擬毛タンクに、前記擬毛を補充・充填するための擬毛入口が形成されるとともに、該擬毛入口に蓋部材が着脱もしくは開閉可能に配在されていることを特徴とする請求項１又は２に記載の粉末状擬毛散布器。
【請求項４】
前記電動本体は、有底円筒状の外装ケースを備え、該外装ケースの一端部に前記擬毛カートリッジの一端部が外嵌又は内嵌されて、前記振動発生装置が発生する振動が前記外装ケースを介して前記擬毛カートリッジに伝播するようにされていることを特徴とする請求項１から３のいずれか一項に記載の粉末状擬毛散布器。
【請求項５】
前記電動本体に装着された前記擬毛カートリッジの抜け止めを図るべくロックボタンが付設されていることを特徴とする請求項１から４のいずれか一項に記載の粉末状擬毛散布器。
【請求項６】
前記電動本体に、外周側から前記振動発生装置をＯＮ／ＯＦＦさせ得るスイッチ類が設けられていることを特徴とする請求項１から５のいずれか一項に記載の粉末状擬毛散布器。
【請求項７】
前記電動本体に、前記乾電池を収容する電池収容部が設けられるとともに、前記乾電池の交換時の便宜を図るべく、前記電池収容部に着脱もしくは開閉可能に蓋部材が配在されていることを特徴とする請求項１から６のいずれか一項に記載の粉末状擬毛散布器。
【請求項８】
前記電動本体の外装ケースは、一対のケース半体からなる二つ割り構造とされていて、一方のケース半体側に前記スイッチ類が設けられ、他方のケース半体側に前記電池収容部が設けられていることを特徴とする請求項７に記載の粉末状擬毛散布器。
【発明の詳細な説明】
【技術分野】
【０００１】
本発明は、頭髪の薄くなった部分に、例えば植物繊維からなる粉末状の擬毛（微髪毛等とも呼ばれる）を散布するための粉末状擬毛散布器に係り、特に、電動モータを有する振動発生装置を内蔵し、この振動発生装置が発生する振動を利用して粉末状擬毛を散布するようにされた粉末状擬毛散布器に関する。
【背景技術】
【０００２】
頭髪の薄くなった部分に、粉末状の擬毛を散布するための粉末状擬毛散布器としては、従来、例えば図５に示される如くのものが知られている。図示例の粉末状擬毛散布器１００は、底面部（図の下面部）に多数の散布用透孔が形成されている有底円筒状の容器からなっており、その中に、粉末状の擬毛が収納されるとともに、電動モータを有する振動発生装置が内蔵され、かつ、前記モータへの電力供給源となる乾電池が収容されている。なお、振動発生装置は、例えば、図６に示される如くに、モータ４５の回転軸４６に断面扇形状の分銅４７を偏心させて取り付けたもの（携帯電話の無音呼び出し装置等として使用されているものと基本的には同じ構成）が使用されている。
【０００３】
かかる粉末状擬毛散布器１００を使用する際には、図示のように、粉末状擬毛散布器１００の散布用透孔（底面部）を、粉末状擬毛Ｈを散布すべき薄毛部分Ｋに向けた状態で、図示されていないスイッチを押して振動発生装置を作動させる。これにより、粉末状擬毛散布器１００全体に振動が発生し、内部の粉末状擬毛Ｈが散布用透孔から吹き出されて薄毛部分Ｋに散布される。散布後、専用の安定スプレーで固定すれば、薄毛部分が目立たなくなる。
【発明の開示】
【発明が解決しようとする課題】
【０００４】
しかしながら、前記した如くの従来の粉末状擬毛散布器では、次のような問題があった。すなわち、従来の粉末状擬毛散布器は、単一の容器（粉末状擬毛散布器１００）内に、粉末状の擬毛が収納され、かつ、電動モータを有する振動発生装置及び乾電池が一体に組み込まれていたので、擬毛の詰め替え・補充や電池交換等を行うことができず、擬毛が無くなったり、電池切れとなると全体を捨てざるを得ない、実質的に使い捨てタイプとなっていたので、不経済であり、資源の有効利用という観点からも好ましくない。
【０００５】
また、振動発生装置のモータ部分に擬毛が付着して作動不良が発生しやすい等の問題もあった。
【０００６】
本発明は、上記事情に鑑みてなされたもので、その目的とするところは、擬毛の詰め替え・補充や電池交換等を簡単に行えて資源の有効利用を促進できるとともに、振動発生装置のモータ部分に擬毛が付着することによる作動不良等が生じないようにされた粉末状擬毛散布器を提供することにある。
【課題を解決するための手段】
【０００７】
前記の目的を達成すべく、本発明に係る粉末状擬毛散布器は、基本的には、電動モータを有する振動発生装置が内蔵されるとともに、前記モータへの電力供給源となる乾電池が収容される電動本体と、前記振動発生装置が発生する振動を利用して粉末状擬毛を散布すべく、その一端面部に多数の散布用透孔が形成されてなる有底筒状の擬毛カートリッジと、を備え、前記電動本体と擬毛カートリッジとは別体とされて前記電動本体に前記擬毛カートリッジが着脱可能に装着され、該擬毛カートリッジ内には、前記粉末状擬毛を収納する擬毛タンクが挿脱可能に配置されていることを特徴としている。
【０００８】
好ましい態様では、前記擬毛タンクに、前記擬毛を前記散布用透孔側に導出するための導出口が形成される。
【０００９】
他の好ましい態様では、前記擬毛タンクに、前記擬毛を補充・充填するための擬毛入口が形成されるとともに、該擬毛入口に蓋部材が着脱もしくは開閉可能に配在される。
【００１０】
別の好ましい態様では、前記電動本体は、有底円筒状の外装ケースを備え、該外装ケースの一端部に前記擬毛カートリッジの一端部が外嵌又は内嵌されて、前記振動発生装置が発生する振動が前記外装ケースを介して前記擬毛カートリッジに伝播するようにされる。
【００１１】
他の好ましい態様では、前記電動本体に装着された前記擬毛カートリッジの抜け止めを図るべくロックボタンが付設される。
【００１２】
前記電動本体に、好ましくは、外周側から前記振動発生装置をＯＮ／ＯＦＦさせ得るスイッチ類が設けられる。
【００１３】
前記電動本体に、好ましくは、前記乾電池を収容する電池収容部が設けられるとともに、前記乾電池の交換時の便宜を図るべく、前記電池収容部に着脱もしくは開閉可能に蓋部材が配在される。
【００１４】
前記電動本体の外装ケースは、好ましくは、一対のケース半体からなる二つ割り構造とされていて、一方のケース半体側に前記スイッチ類が設けられ、他方のケース半体側に前記電池収容部が設けられる。
【発明の効果】
【００１５】
上記の如くの構成とされた本発明に係る粉末状擬毛散布器では、電動本体と擬毛カートリッジとが別体とされるとともに、電動本体に擬毛カートリッジが着脱可能に装着され、かつ、擬毛カートリッジ内に挿脱可能に擬毛タンクが配置されているので、例えば、擬毛タンク内の擬毛が無くなった際には、電動本体から擬毛カートリッジを分離し、この擬毛カートリッジから空になった擬毛タンクを取り出して、擬毛が充填されている新たな擬毛タンクと交換することができる。また、ユーザー側で擬毛タンクに擬毛を補充・充填することも可能である。
【００１６】
また、電動本体に、電池収容部が設けられるとともに、この電池収容部に着脱もしくは開閉可能に蓋部材が配在されるので、電池切れになったときには、前記蓋部材を外して電池を交換することができる。
【００１７】
このように、本発明の粉末状擬毛散布器では、擬毛が無くなったときは、擬毛タンクの交換あるいは擬毛タンクへの擬毛の補充を行えばよく、また、電池切れになったときは、蓋部材を外して電池交換を行えばよいので、電動本体や擬毛カートリッジ（のカートリッジ本体部分）は何度も再使用が可能となり、従来の使い捨てタイプのものに比して経済的であるとともに、資源の有効利用を効果的に促進することができる。
【００１８】
さらに、粉末状の擬毛は、擬毛カートリッジ内の擬毛タンクに収納されているので、電動本体側における振動発生装置のモータ部分に擬毛が付着することはなく、そのため、モータ部分に擬毛が付着することによる作動不良等を生じ難くできる。
【発明を実施するための最良の形態】
【００１９】
以下、本発明の実施形態を図面を参照しながら説明する。
図１は、本発明に係る粉末状擬毛散布器の一実施形態を示す分解斜視図、図２、図３は、それぞれ図１に示される粉末状擬毛散布器の垂直断面図、水平断面図である。
【００２０】
図示例の粉末状擬毛散布器１０は、振動発生源を備えた電動本体２０と粉末状擬毛が収納されている擬毛カートリッジ５０とを備える。電動本体２０と擬毛カートリッジ５０とは別体であり、電動本体２０に擬毛カートリッジ５０が着脱可能に装着されて、本実施形態の粉末状擬毛散布器１０が構成される。
【００２１】
電動本体２０は、ケース半体２１Ａ、２１Ｂからなる二つ割り構造の有底円筒状の外装ケース２１を備えている。ケース半体２１Ａと２１Ｂとは、内部に２箇所、それぞれ対接するように設けられた円筒状の横連結柱２２Ａ、２２Ｂを止めねじ３５で締結することにより結合されている。このケース半体２１Ａと２１Ｂとからなる外装ケース２１内には、図３に示される如くに、電動モータ４５を有する振動発生装置１５が内蔵されるとともに、前記モータ４５への電力供給源となる単三乾電池９０が収容される電池収容部２５が設けられ、さらに、モータ４５、電池収容部２５の接点端子２６、２７、及びモータＯＮ／ＯＦＦスイッチ３０（後述）間を繋ぐ回路部品３６が配設されている。
【００２２】
振動発生装置１５は、前述した図６に示されるものと同様に、モータ４５の回転軸４６に断面扇形状の分銅４７を偏心させて取り付けたもので、モータ４５部分が外装ケース２１（ケース半体２１Ａ）に一体に設けられたモータ保持部４８に保持されており、モータ４５の回転軸４６の回転に伴って偏心分銅４７も回転し、これによってモータ４５及びモータ保持部４８も振動し、その振動が外装ケース２１を介して擬毛カートリッジ５０（のカートリッジ本体５１及び擬毛タンク６０）に伝播する。
【００２３】
また、外装ケース２１の外周には、複数条のリブ３３が突設され、さらに、ケース半体２１Ａ側の外周には、前記振動発生装置１５（モータ４５）のＯＮ／ＯＦＦ用のスイッチ３０の押しボタン３１が突出配置されるとともに、ケース半体２１Ｂ側の外周には、前記乾電池９０の収容部２５を開閉するための電池蓋３２が着脱可能に装着されている。
【００２４】
一方、擬毛カートリッジ５０は、段付き有底円筒状のカートリッジ本体５１と、該カートリッジ本体５１内に挿脱可能に配在される、粉末状擬毛が収納される段付き有底円筒状の擬毛タンク６０とを備えている。擬毛タンク６０は、下部小径部６２と上部大径部６１とを有し、下部小径部６２の底面中央部には、粉末状擬毛をカートリッジ本体５１の底面部５４側に適量（少しずつ）導出するための導出口６３が形成され、上部大径部６１の天井部には、粉末状擬毛を充填・補充する際に使用される擬毛入口６４が形成されるとともに、該擬毛入口６４に着脱可能に蓋部材７０が装着されている。蓋部材７０は、前記擬毛入口６４を閉塞する円板状部７１と擬毛入口６４に圧入される薄肉円筒状部７２とからなっている。また、擬毛タンク６０の上部大径部６１の上部には、環状溝６５が形成され、この環状溝６５にＯリング６６が装着されて前記カートリッジ本体５１との間がシールされている。
【００２５】
また、前記カートリッジ本体５１は、前記擬毛タンク６０の下部小径部６２が挿入される下部小径部５２と、前記擬毛タンク６０の上部大径部６１が挿入される上部大径部５６とを有し、下部小径部５２と上部大径部５６との間の段差部５３で、擬毛タンク６０の下部小径部６２と上部大径部６１との間の段差部６８が係止されるようになっている。また、カートリッジ本体５１の下部小径部５２の底面部５４には、粉末状擬毛を散布するための多数の散布用透孔５５、５５、・・・が形成されており、該底面部５４と擬毛タンク６０の底面部（の導出口６３）との間には所定の空所Ｓが形成されている。また、カートリッジ本体５１の下部小径部５２には、円筒状のキャップ８０が螺合被着されている（下部小径部５２に雄ねじ部５２ａが形成され、キャップ８０の円周部内周に雌ねじ部８２ａが形成されている）。
【００２６】
そして、前記外装ケース２１の下端部２４に、前記擬毛カートリッジ５０におけるカートリッジ本体５１の上端部５７が外嵌されて、前記振動発生装置１５が発生する振動が前記外装ケース２１を介して前記カートリッジ本体５１及び擬毛タンク６０に伝播するようにされている。
【００２７】
また、外装ケース２１の下端部２４にその上端部５７が外嵌された前記擬毛カートリッジ５０の抜け止めを図るべく、１８０度の角度間隔をあけて一対のロックボタン４０、４０が付設されている。ロックボタン４０は、外装ケース２１の外周から突出する押しボタン部４１と、該押しボタン部４１から上方に連設されて外装ケース１内で弾性撓曲可能に保持された弾性撓曲片部４２、及び、前記押しボタン部４１から下方に連設されて、カートリッジ本体５１の上端部内周に形成された係止溝５８に係止されるテーパ面を有する係止突起部４３からなっている。かかるロックボタン４０では、擬毛カートリッジ５０の上端部５７を電動本体２０の下端部２４に差し込んで外嵌したとき、自動的に係止突起部４３が係止溝５８に嵌り込んで係止されてロック状態となる。一方、一対の押しボタン部４１、４１を例えば親指と人差し指とで同時に押さえると、係止突起部４３が係止溝５８から外れてロック状態が解除され、電動本体２０と擬毛カートリッジ５０とが分離可能状態となる。
【００２８】
このような構成とされた本実施形態の粉末状擬毛散布器１０を使用する際には、キャップ８０を取り去って、散布用透孔５５（底面部５４）を、粉末状擬毛を散布すべき薄毛部分に向けた状態で、スイッチボタン３１を押して振動発生装置１５を作動させる。これにより、振動発生装置１５が発生する振動が外装ケース２１を介して前記カートリッジ本体５１及び擬毛タンク６０に伝播してそれらが振動し、これによって、擬毛タンク６０の導出口６３からカートリッジ本体５１の下部の隙間空間Ｓに導出された粉末状擬毛が散布用透孔５５、５５、・・・から吹き出されて薄毛部分に散布される。散布後、専用の安定スプレーで固定すれば、薄毛部分が目立たなくなる。
【００２９】
上記の如くの構成とされた本実施形態の粉末状擬毛散布器１０では、電動本体２０と擬毛カートリッジ５０とが別体とされるとともに、電動本体２０に擬毛カートリッジ５０が着脱可能に装着され、かつ、擬毛カートリッジ５０内に挿脱可能に擬毛タンク６０が配置されているので、例えば、擬毛タンク６０内の擬毛が無くなった際には、電動本体２０から擬毛カートリッジ５０を分離し、この擬毛カートリッジ５０から空になった擬毛タンク６０を取り出して、擬毛が充填されている新たな擬毛タンク６０と交換することができる。また、ユーザー側で擬毛タンク６０の擬毛入口６４に装着されている蓋部材７０を外して、擬毛タンク６０に擬毛を補充・充填することも可能である。
【００３０】
また、電動本体２０に、電池収容部２５が設けられるとともに、この電池収容部２５に着脱もしくは開閉可能に蓋部材３２が配在されるので、電池切れになったときには、前記蓋部材３２を外して電池を交換することができる。
【００３１】
このように、本実施形態の粉末状擬毛散布器１０では、擬毛が無くなったときは、擬毛タンク６０の交換あるいは擬毛タンク６０への擬毛の補充を行えばよく、また、電池切れになったときは、蓋部材３２を外して電池交換を行えばよいので、電動本体２０や擬毛カートリッジ５０（のカートリッジ本体部分５１）は何度も再使用が可能となり、従来の使い捨てタイプのものに比して経済的であるとともに、資源の有効利用を効果的に促進することができる。
【００３２】
さらに、粉末状の擬毛は、擬毛カートリッジ５０内の擬毛タンク６０に収納されているので、電動本体２０側における振動発生装置１５のモータ４５部分に擬毛が付着することはなく、そのため、モータ４５部分に擬毛が付着することによる作動不良等を生じ難くできる。
【００３３】
なお、擬毛タンク６０に設けられる擬毛入口６４及び蓋部材７０の構成としては、前述したものに限られるわけではなく、例えば、図４（Ａ）、（Ｂ）に例示される如くに、粉末状の擬毛の詰め替え・補充等に際して、蓋部材７５を擬毛タンク６０から完全に取り去らなくても済む構成としてもよい。すなわち、擬毛タンク６０の擬毛入口６４’を前記実施形態より小さくして一方に偏って配置し、蓋部材７５として、擬毛入口６４’を閉塞する円板状部７６と、擬毛入口６４’に圧入される薄肉円筒状部７７と、前記円板状部７６に連なる連設部７８と、該連設部７８の両側に突設された軸部７９、７９と、からなるものを用意し、擬毛タンク６０の天井部に、前記軸部７９、７９が回動自在に嵌め込まれるＣ形の溝７４が形成された軸受け部７３、７３を突設するようにしてもよい。
【図面の簡単な説明】
【００３４】
【図１】本発明に係る粉末状擬毛散布器の一実施形態を示す分解斜視図。
【図２】図１に示される粉末状擬毛散布器の垂直断面図。
【図３】図１に示される粉末状擬毛散布器の水平断面図。
【図４】擬毛タンクに設けられる擬毛入口及び蓋部材の他の例を示す図。
【図５】従来の粉末状擬毛散布器の説明に供される図。
【図６】粉末状擬毛散布器に用いられる振動発生装置の一例を示す図。
【符号の説明】
【００３５】
１０  粉末状擬毛散布器
１５  振動発生装置
２０  電動本体
２１  外装ケース
２５  電池収容部
３０  ＯＮ／ＯＦＦスイッチ
３１  押しボタン
３２  電池蓋
４０  ロックボタン
４５  モータ
４６  回転軸
４７  分銅
５０  擬毛カートリッジ
５１  カートリッジ本体
５５  散布用透孔
６０  擬毛タンク
６３  導出口
６４  擬毛入口
７０  蓋部材
８０  キャップ
９０  乾電池
【図１】
2009082158.tif 000003
【図２】
2009082158.tif 000004
【図３】
2009082158.tif 000005
【図４】
2009082158.tif 000006
【図５】
2009082158.tif 000007
【図６】
2009082158.tif 000008